(57)【要約】【課題】タイムシフト再生中にテレビ放送の受信感度が悪化しても、視聴者が受信感度が悪くなったことを直ちに知ることができる携帯型テレビ端末装置を提供する。【解決手段】テレビ放送を受信するチューナ１０２から出力された動画像信号をタイムシフト部１１０を介して記憶装置１０９に記録しつつ、記憶装置１０９に記録済みの過去の動画像信号をＤＥＭＵＸ１０３に渡すことでタイムシフト再生を行い、タイムシフト再生中にチューナ１０２の受信感度が悪化した場合、チューナ１０２で受信中の動画像信号に基づくリアルタイム映像を、タイムシフト再生映像に重ねて表示する。チューナ１０２の受信感度が良化した場合、タイムシフト再生映像に重ねて表示した映像の表示を中止する。【選択図】図１
2008136103.tif 000002
【特許請求の範囲】
【請求項１】
動画像信号を受信する第１の受信手段と、
該第１の受信手段で受信した動画像信号をメモリに記録しつつ、該メモリに記録済みの動画像信号の再生を同時に実行するタイムシフト再生手段と、
再生された動画像信号を表示部へ出力する出力手段と、
前記タイムシフト再生中に前記第１の受信手段の受信感度が悪化した場合、前記タイムシフト再生映像に該タイムシフト再生映像とは異なる映像を重ねて表示するように制御する制御手段と、
を備えることを特徴とする携帯型テレビ端末装置。
【請求項２】
前記制御手段は、前記第１の受信手段で受信中の動画像信号に基づくリアルタイム映像を、前記タイムシフト再生映像に重ねて表示することを特徴とする請求項１に記載の携帯型テレビ端末装置。
【請求項３】
前記第１の受信手段とは異なる第２の受信手段を少なくとも１つ備え、前記制御手段は、前記第２の受信手段で受信中の動画像信号に基づくリアルタイム映像を、前記タイムシフト再生映像に重ねて表示することを特徴とする請求項１に記載の携帯型テレビ端末装置。
【請求項４】
前記制御手段は、前記メモリに予め記憶されている代替動画像信号に基づく代替映像を、前記タイムシフト再生映像に重ねて表示することを特徴とする請求項１に記載の携帯型テレビ端末装置。
【請求項５】
前記制御手段は、前記タイムシフト再生中の番組のジャンルによって表示する前記代替映像を変更することを特徴とする請求項４に記載の携帯型テレビ端末装置。
【請求項６】
前記制御手段は、前記第１の受信手段で受信できたフレームと略同一のタイミングのフレームの映像のみを前記タイムシフト再生映像に重ねて表示するように制御することを特徴とする請求項３〜５のいずれかに記載の携帯型テレビ端末装置。
【請求項７】
前記制御手段は、前記タイムシフト再生映像に重ねて表示した映像の画面サイズを前記第１の受信手段の受信感度によって変更することを特徴とする請求項１〜６のいずれかに記載の携帯型テレビ端末装置。
【請求項８】
前記制御手段は、前記第１の受信手段の受信感度が良化した場合、前記タイムシフト再生映像に重ねて表示した映像の表示を中止することを特徴とする請求項１〜７のいずれかに記載の携帯型テレビ端末装置。
【請求項９】
前記制御手段は、前記リアルタイム映像の番組が終了した場合、前記タイムシフト再生映像に重ねて表示した映像の表示を中止することを特徴とする請求項１〜７のいずれかに記載の携帯型テレビ端末装置。
【請求項１０】
前記制御手段は、前記タイムシフト再生中に前記リアルタイム映像の番組が終了した場合、前記第１の受信手段の受信感度に応じて前記タイムシフト再生映像に該タイムシフト再生映像とは異なる映像を重ねて表示する制御を中止することを特徴とする請求項１に記載の携帯型テレビ端末装置。
【請求項１１】
受信手段で受信した動画像信号をメモリに記録しつつ、該メモリに記録済みの動画像信号の再生を同時に実行するタイムシフト再生方法において、
タイムシフト再生中に前記受信手段の受信感度が悪化した場合、受信手段で受信中の動画像信号に基づくリアルタイム映像を、タイムシフト再生映像に重ねて表示することを特徴とするタイムシフト再生方法。
【発明の詳細な説明】
【技術分野】
【０００１】
本発明は、現在放送中のテレビ番組を録画しつつ、録画済みのテレビ番組を同時に再生する携帯型テレビ端末装置およびタイムシフト再生方法に関するものである。
【背景技術】
【０００２】
据え置き型のテレビ装置には、放送中のテレビ番組をビデオのように一時停止したり巻き戻したりして見ることができるタイムシフトという機能がある。このタイムシフトはあらかじめテレビ番組を録画しておき、視聴者が視聴するタイミングで録画開始時のデータから再生しつつ、放送中の番組を録画する技術である。タイムシフトは、例えば地上デジタルテレビジョン放送を視聴可能な携帯電話機等の携帯型テレビ端末装置では、電話が掛かってきたときや、駅の改札の出入り時、電子メール作成時などの番組を視聴できない場合において威力を発揮し、携帯型テレビ端末装置は、このときタイムシフトを使用すれば、視聴を一時停止しても裏で録画し続け、視聴を再開するときに停止した箇所から後追いで再生することができる。
【０００３】
また、タイムシフト再生は過去の映像であるため、現在の映像が見たいという要望がある。そこで、特許文献１では、タイムシフト映像とリアルタイム映像を常に両方表示することで、例えば臨時ニュースを逃さずに視聴できるようにしている。一方、Ｐｉｃｔｕｒｅ  ｉｎ  Ｐｉｎｃｔｕｒｅ（以降ＰｉｎＰと省略する）と呼ばれる技術がある。ＰｉｎＰは表示中の画像に別の画像を重ね合わせる技術である。
【特許文献１】特開２００５−３９４９６号公報
【発明の開示】
【発明が解決しようとする課題】
【０００４】
据え置き型のテレビ装置であれば、タイムシフトによるテレビ番組の再生は、放送設備の事故などを除いてほぼ可能である。しかし、携帯型テレビ端末装置では、タイムシフトの機能を搭載した場合、録画開始時は放送を正常に受信できても、端末装置が受信状態の悪い場所に移動する等によりタイムシフト中に受信状態が悪化して現在の放送が受信できなくなる場合がある。この場合、端末装置から通知はなく、端末装置は受信済みデータのみを再生する。これでは番組の一部分を視聴できない。放送を受信できるか否かを表す方法として一般的に考えられる方法は、アンテナバーなどのアイコンを表示することである。しかし、視聴者は番組に集中しているので常にアイコンに注意するとは限らない。また全画面表示にした場合、アイコンが表示されない。たとえアイコンを重ねあわせ表示したとしても、視聴者が録画した放送データがどれだけ悪いのか判断しにくい。そこで視聴者の意識がすぐに働き、かつ録画した放送データの良し悪しがわかるような表示方法が望まれる。
【０００５】
本発明は、このような問題点に鑑みてなされたものであり、本発明の目的は、タイムシフト再生中にテレビ放送の受信感度が悪化しても、視聴者がテレビ放送の受信感度が悪くなったことを直ちに知ることができる携帯型テレビ端末装置およびタイムシフト再生方法を提供することにある。
【課題を解決するための手段】
【０００６】
上記目的を達成するため、本発明の携帯型テレビ端末装置は、動画像信号を受信する第１の受信手段と、該第１の受信手段で受信した動画像信号をメモリに記録しつつ、該メモリに記録済みの動画像信号の再生を同時に実行するタイムシフト再生手段と、再生された動画像信号を表示部へ出力する出力手段と、前記タイムシフト再生中に前記第１の受信手段の受信感度が悪化した場合、前記タイムシフト再生映像に該タイムシフト再生映像とは異なる映像を重ねて表示するように制御する制御手段とを備えることを特徴とする。
【０００７】
前記制御手段は、前記第１の受信手段で受信中の動画像信号に基づくリアルタイム映像を、前記タイムシフト再生映像に重ねて表示することが好ましい。
【０００８】
また、前記第１の受信手段とは異なる第２の受信手段を少なくとも１つ備え、前記制御手段は、前記第２の受信手段で受信中の動画像信号に基づくリアルタイム映像を、前記タイムシフト再生映像に重ねて表示することが好ましい。
【０００９】
また、前記制御手段は、前記メモリに予め記憶されている代替動画像信号に基づく代替映像を、前記タイムシフト再生映像に重ねて表示することが好ましく、また、前記制御手段は、前記タイムシフト再生中の番組のジャンルによって表示する前記代替映像を変更することが好ましい。
【００１０】
また、前記制御手段は、前記第１の受信手段で受信できたフレームと略同一のタイミングのフレームの映像のみを前記タイムシフト再生映像に重ねて表示するように制御することが好ましく、また、前記制御手段は、前記タイムシフト再生映像に重ねて表示した映像の画面サイズを前記第１の受信手段の受信感度によって変更することが好ましい。
【００１１】
また、前記制御手段は、前記第１の受信手段の受信感度が良化した場合、前記タイムシフト再生映像に重ねて表示した映像の表示を中止することが好ましく、また、前記制御手段は、前記リアルタイム映像の番組が終了した場合、前記タイムシフト再生映像に重ねて表示した映像の表示を中止することが好ましく、また、前記制御手段は、前記タイムシフト再生中に前記リアルタイム映像の番組が終了した場合、前記第１の受信手段の受信感度に応じて前記タイムシフト再生映像に該タイムシフト再生映像とは異なる映像を重ねて表示する制御を中止することが好ましい。
【００１２】
また、本発明のタイムシフト再生方法は、受信手段で受信した動画像信号をメモリに記録しつつ、該メモリに記録済みの動画像信号の再生を同時に実行するタイムシフト再生方法において、タイムシフト再生中に前記受信手段の受信感度が悪化した場合、受信手段で受信中の動画像信号に基づくリアルタイム映像を、タイムシフト再生映像に重ねて表示することを特徴とする。
【発明の効果】
【００１３】
本発明は、タイムシフト再生中にテレビ放送の受信感度が悪化した場合に、タイムシフト映像にリアルタイム映像をＰｉｎＰ表示で実際の映像を表示するので、視聴者が現在のテレビ放送の受信感度が悪くなったことを直ちに知ることができる。
【発明を実施するための最良の形態】
【００１４】
本発明の実施の形態について図面を参照して説明する。図１は、本発明の携帯型テレビ端末装置の概略構成を示す機能ブロック図である。携帯型テレビ端末装置１００は、デジタル放送を受信するアンテナ１０１と、デジタル放送用チューナ（第１の受信手段）１０２と、デジタル放送用チューナ１０２から出力されたＭＰＥＧ−２  ＴＳ（Ｔｒａｎｓｐｏｒｔ  Ｓｔｒｅａｍ）を映像や音声などに分割するＤＥＭＵＸ１０３と、ＤＥＭＵＸ１０３で分割されたパケットをデコードするセクション解析部１０４、映像復号部１０５および音声復号部１０６と、セクション解析部１０４および映像復号部１０５でデコードされた映像を表示する表示部１０７と、音声復号部１０６でデコードされた音声を出力するスピーカ１０８と、セクション解析部１０４で解析されたデータの保持や番組の録画、さらに代替映像を記憶するための記憶装置１０９と、タイムシフト機能を備えたタイムシフト部（タイムシフト再生手段）１１０と、チューナを監視し、エラーやパケットロス、ＢＥＲ（Ｂｉｔ  Ｅｒｒｏｒ  Ｒａｔｅ）、受信電力などを取得して、それらの１つもしくは複数からチューナの受信感度として数値化するチューナ監視部１１１と、全体を制御する制御部（制御手段）１１２とからなる。なお、図１において、各ブロックを結ぶ実線と点線は、それぞれデータの流れと信号線を表す。また、ＤＥＭＵＸ１０３、セクション解析部１０４、映像復号部１０５および音声復号部１０６は、表示部１０７およびスピーカ１０８へ映像・音声を出力する出力手段を構成する。
【００１５】
始めにタイムシフト機能について図１を用いて説明する。タイムシフト機能は、チューナ１０２から出力されるＭＰＥＧ−２  ＴＳを、通常の視聴であればＤＥＭＵＸ１０３に入力するところを、タイムシフト部１１０を介して記憶装置１０９に記憶しながら、記憶装置１０９にある過去のＭＰＥＧ−２  ＴＳデータをＤＥＭＵＸ１０３に渡すことで、現在放送中のテレビ番組を録画しながら、過去に遡ってその番組を視聴できる機能である。
【００１６】
次に、本発明の第１の実施の形態について説明する。図２は、第１の実施の形態を説明するフローチャートであり、図３は、表示部１０７に表示する映像の例である。始めに視聴者が前述したタイムシフト機能を利用している状態であるとする。このときチューナ監視部１１１は定期的にチューナ１０２の受信感度を取得し、取得した受信感度が閾値Ｎ以下となった場合、制御部１１２に通知する（Ｓ３０１）。制御部１１２は、チューナ監視部１１１よりチューナ１０２の受信感度が閾値Ｎ以下となった旨の通知を受けると、チューナ１０２の出力であるＭＰＥＧ−２  ＴＳデータ、即ち、現在受信中の放送データ（リアルタイム受信データ）をＤＥＭＵＸ１０３に入力させる。また、制御部１１２は、セクション解析部１０４、映像復号部１０５、表示部１０７に対して、タイムシフト再生の映像に、リアルタイム受信データの映像をＰｉｎＰ表示するように通知する。ＤＥＭＵＸ１０３は、セクション解析部１０４、映像復号部１０５および音声復号部１０６にリアルタイム受信データを分割したパケットを入力し、セクション解析部１０４および映像復号部１０５は表示部１０７に映像を出力し、音声復号部１０６はスピーカ１０８に音声を出力することでＰｉｎＰ表示を行う（Ｓ３０２）。このとき、チューナ１０２の出力であるＭＰＥＧ−２  ＴＳデータはＤＥＭＵＸ１０３、タイムシフト部１１０の両方に出力される。さらに、このとき音声はリアルタイム映像の音声となる。
【００１７】
図３の例ではタイムスタンプが２１：００：００であるデータからタイムシフト再生を開始し、タイムスタンプが２１：２４：００であるデータまでタイムシフト再生したところであり、このときのリアルタイム受信データは２１：２５：００である。２１：２５：００のデータを受信中にチューナ１０２の受信感度が悪化した場合、タイムスタンプが２１：２４：００以降のタイムシフト再生映像に２１：２５：００以降のリアルタイム映像がＰｉｎＰ表示される。
【００１８】
第１の実施の形態では、タイムシフト再生中にテレビ放送の受信感度が悪化した場合に、タイムシフト映像にリアルタイム映像をＰｉｎＰ表示で実際の映像を表示するので、視聴者が現在のテレビ放送の受信感度が悪くなったことを直ちに知ることができる。
【００１９】
次に、本発明の第２の実施の形態について説明する。図４は、第２の実施の形態を説明するフローチャートである。Ｓ４０２までは第１の実施の形態のＳ３０２までと同じため説明を省き、Ｓ４０３から説明する。ＰｉｎＰ表示中もチューナ監視部１１１は、定期的にチューナ１０２の受信感度を取得し、取得した受信感度が閾値Ｎより大きくなった場合、制御部１１２に通知する（Ｓ４０３）。制御部１１２はチューナ１０２からＤＥＭＵＸ１０３へのＭＰＥＧ−２  ＴＳデータの入力を停止し、セクション解析部１０４、映像復号部１０５、表示部１０７に対して、ＰｉｎＰ表示を中止するように通知する（Ｓ４０４）。
【００２０】
ここでフローチャートに図示しないが、ＰｉｎＰ表示を視聴者自ら解除できるように、ＰｉｎＰ表示中（Ｓ４０２）にＰｉｎＰ表示を終了するメニューを表示または終了ボタンに割り当て、そのメニューにて選択または終了ボタンが押下されたならばＰｉｎＰ表示を中止する処理を行う機能を搭載しても良い。
【００２１】
第２の実施の形態では、ＰｉｎＰ表示中に受信感度が改善されたならばＰｉｎＰ表示が消えるので、視聴者は映像を見逃すことなく視聴できる。
【００２２】
次に、本発明の第３の実施の形態について説明する。図５は、第３の実施の形態を説明するフローチャートであり、図６は、表示部１０７に表示する映像の例である。Ｓ５０５以下は第２の実施の形態のＳ４０３以下と同じため説明を省略する。始めに視聴者が前述したタイムシフト機能を利用している状態であるとする。このときチューナ監視部１１１は定期的にチューナ１０２の受信感度を取得し、取得した受信感度が閾値Ｎ以下となった場合、制御部１１２に通知する（Ｓ５０１）。制御部１１２は、図１に図示しない第２のチューナ（第２の受信手段）の電源を入れ（Ｓ５０２）、第２のチューナでタイムシフト中のチャンネル以外の別チャンネルにチューニングする（Ｓ５０３）。チューニングする別チャンネルは、周波数がタイムシフト中のチャンネルに最も近いチャンネルにする。こうすることでチャンネル間の受信感度の誤差をできるだけ吸収する。そして第２のチューナでチューニングしたチャンネルのＭＰＥＧ−２  ＴＳデータをＤＥＭＵＸ１０３に入力し、セクション解析部１０４、映像復号部１０５、表示部１０７に対して、タイムシフト再生の映像に、第２のチューナで受信した映像をＰｉｎＰ表示するように通知する。そして、ＤＥＭＵＸ１０３は、セクション解析部１０４、映像復号部１０５および音声復号部１０６に第２のチューナで受信したデータを分割したパケットを入力し、セクション解析部１０４および映像復号部１０５は表示部１０７に映像を出力し、音声復号部１０６はスピーカ１０８に音声を出力することでＰｉｎＰ表示を行う（Ｓ５０４）。図６は、Ｓ５０４のＰｉｎＰ表示例である。ＰｉｎＰ表示では別のチャンネルの映像が表示される。
【００２３】
第３の実施の形態では、ＰｉｎＰ表示するリアルタイム映像を、タイムシフト中のチャンネル以外のチャンネルの映像とするので、視聴者にタイムシフト再生中の番組の先を見せないようにすることができる。
【００２４】
次に、本発明の第４の実施の形態について説明する。図７は、第４の実施の形態を説明するフローチャートであり、図８は、再生するデータを示す図である。始めに視聴者が前述したタイムシフト機能を利用してタイムシフト再生を実行中であるとする。このとき、制御部１１２は、図１に図示しない第２のチューナ（第２の受信手段）の電源を入れる（Ｓ６０１）。次に、制御部１１２は、チューナ監視部１１１と第２のチューナに対してチャンネルスキャンを通知し、第２のチューナは、チャンネルスキャンで取得したチャンネルリストのチャンネルに一定の間隔でチューニングし、チューナ監視部１１１は、その受信感度を計測する。チューナ監視部１１１は、受信感度が最も良い別チャンネルを制御部１１２に通知し、制御部１１２は、第２のチューナに対して受信感度が最も良いと通知された別チャンネルへのチューニングと、タイムシフト部１１０へのＭＰＥＧ−２  ＴＳデータの送信を指示する（Ｓ６０２）。
【００２５】
タイムシフト部１１０は、第２のチューナからＭＰＥＧ−２  ＴＳを受信すると記憶装置１０９へバッファリングする。受信感度が悪化した場合にすぐに映像を表示するだけのバッファ量でよいので、バッファはリングバッファを用いる（Ｓ６０３）。そして、チューナ監視部１１１は定期的に第１のチューナ（第１の受信手段）１０２の受信感度を取得する（Ｓ６０４）。もし第１のチューナ１０２の受信感度が閾値Ｎよりも大きい場合は、チューナ監視部１１１は定期的に第２のチューナの受信感度を取得する（Ｓ６０５）。もし第２のチューナの受信感度が閾値Ｍよりも大きい場合は、Ｓ６０４に戻る。第２のチューナの受信感度が閾値Ｍ以下の場合は、第２のチューナが現在チューニングしているチャンネルの受信感度が悪化したのでＳ６０２と同じ処理を行うことで、再度受信感度の良い別チャンネルにチューニングしなおす（Ｓ６０６）。そしてＳ６０３と同じ処理でバッファリングを行う（Ｓ６０７）。
【００２６】
Ｓ６０４において、第１のチューナの受信感度が閾値Ｎ以下の場合は、バッファリングしてある第２のチューナのデータの映像を、第１のチューナのデータにあわせて間引きしてＰｉｎＰ表示を行う（Ｓ６０８）。Ｓ６０８については図８を用いて詳しく説明する。図８は、受信感度の良い別チャンネルでは正常受信していて、タイムシフト再生中のチャンネルがタイムスタンプ２１：２５：００のデータから受信感度が悪化した場合の蓄積映像データを示している。小さな長方形は１フレームの映像データを表している。２１：２５：００で受信感度が悪化したとき、受信感度の良い別チャンネルの映像をＰｉｎＰ表示するが、このときタイムシフト再生中のチャンネルで受信できたフレームと同じタイミングのフレーム（チャンネルごとに表示するタイミングが異なる場合は近いタイミングのフレーム）のみをＰｉｎＰ表示する。このようにすることで、タイムシフト再生中のチャンネルの受信感度が悪化し、受信感度の良い別のチャンネルをＰｉｎＰ表示しても、受信感度の良い別のチャンネルの映像をタイムシフト中のチャンネルの受信感度に合わせて表示するので、ユーザはタイムシフト再生中のチャンネルの受信状況を知ることが可能となる。なお、図８では映像フレームについて述べているが、音声に対しても同じ処理を行なっても良い。
【００２７】
Ｓ６０８のＰｉｎＰ表示中にはチューナ監視部１１１が定期的に第１のチューナ１０２の受信感度を取得している（Ｓ６０９）。もし取得した受信感度が閾値Ｋ以上の場合は、制御部１１２に通知する。制御部１１２は、第２のチューナからＤＥＭＵＸ１０３へのＭＰＥＧ−２  ＴＳデータの入力を停止し、セクション解析部１０４、映像復号部１０５、表示部１０７に対して、ＰｉｎＰ表示を中止するように通知する（Ｓ６１０）。
【００２８】
第４の実施の形態では、タイムシフト再生中のチャンネル以外のチャンネルの映像を、タイムシフト中のチャンネルで受信できたフレームと同じタイミングで表示するので、視聴者にリアルタイム映像を見せずにリアルタイム映像の受信状況を知らせることができる。
【００２９】
次に、本発明の第５の実施の形態について説明する。図９は、第５の実施の形態を説明するフローチャートであり、図１０および図１１は、表示部１０７に表示する映像の例である。Ｓ７０２以外は第２の実施の形態と同じため説明を省き、Ｓ７０２のみを説明する。制御部１１２は、あらかじめ記憶装置１０９に保存していたデータをＤＥＭＵＸ１０３に入力させ、セクション解析部１０４、映像復号部１０５、表示部１０７に対して、ＰｉｎＰ表示するように通知する。そして、ＤＥＭＵＸ１０３は、記憶部１０９から入力されるデータを分割したパケットを、セクション解析部１０４、映像復号部１０５および音声復号部１０６に入力し、セクション解析部１０４および映像復号部１０５は表示部１０７に映像を出力し、音声復号部１０６はスピーカ１０８に音声を出力することでＰｉｎＰ表示を行う（Ｓ７０２）。このときのＰｉｎＰ表示は、図８と同じように、タイムシフト中のチャンネルで受信できたフレームと同じタイミングのフレーム（近いタイミングのフレーム）のみをＰｉｎＰ表示と音声で再生してもよい。
【００３０】
図１０はＳ７０２のＰｉｎＰ表示例である。図１０は独楽が今にも止まりそうな映像をＰｉｎＰで表示している。図１１はＳ７０２の他のＰｉｎＰ表示例である。図１１は番組のジャンルによって再生するファイルを変更することを示している。図１１の（ａ）では番組がドラマであるのでドラマ用の独楽のファイルが再生され、（ｂ）では番組がスポーツであるのでスポーツ用のサッカーボールのファイルが再生される様子を示している。
【００３１】
第５の実施の形態では、ＰｉｎＰ表示するリアルタイム映像を代替映像とすることで、視聴者にタイムシフト再生中の番組の先を見せないようにすることができる。また、タイムシフト中のチャンネルで受信できたフレームと同じタイミングで代替映像を表示すれば、視聴者にリアルタイム映像を見せずにリアルタイム映像の受信状況を知らせることができる。また、番組のジャンルによって再生する代替映像を変えるので、視聴者にタイムシフト再生中の番組の先を見せないようにすることができ、さらにジャンルによって用意された代替映像によって受信感度を知らせることができる。
【００３２】
次に、本発明の第６の実施の形態について説明する。図１２は、第６の実施の形態を説明するフローチャートであり、図１３は、表示部１０７に表示する映像の例である。Ｓ８０２までは第１の実施の形態と同じため説明を省き、Ｓ８０３から説明する。ＰｉｎＰ表示にてリアルタイム映像再生中、チューナ監視部１１１はチューナ１０２の受信感度を計測して、受信感度が閾値Ｎ以下の場合、制御部１１２に通知する（Ｓ８０３）。制御部１１２は計測した受信感度をタイムシフト部１１０に通知し、タイムシフト部１１０は受信感度を前回の受信感度（初期値は０）と比較する（Ｓ８０４）。計測した受信感度が前回の受信感度と異なっていれば、タイムシフト部１１０は制御部１１２に比較の結果を通知し、制御部１１２は、セクション解析部１０４、映像復号部１０５、表示部１０７に対して比較の結果に応じたＰｉｎＰ表示の画面サイズの変更を通知し、セクション解析部１０４、映像復号部１０５、表示部１０７はＰｉｎＰ表示の画面サイズを変更する（Ｓ８０５）。
【００３３】
Ｓ８０３において受信感度が閾値Ｎより大きい場合、チューナ監視部１１１は制御部１１２に通知し、制御部１１２はＤＥＭＵＸ１０３へのＭＰＥＧ−２  ＴＳデータの入力を停止し、セクション解析部１０４、映像復号部１０５、表示部１０７に対して、ＰｉｎＰ表示を中止するように通知する（Ｓ８０６）。
【００３４】
図１３はＳ８０５のＰｉｎＰ表示の画面サイズ変更例である。図１３に示すように、受信感度が弱い順に（ａ）から（ｃ）のように画面サイズを変更して表示する。リアルタイム映像の受信感度が良くなれば、画面サイズを小さくして、リアルタイム映像を見え難くしている。また、図１３では受信感度を３段階で示しているが３段階以上であっても以下であっても良い。
【００３５】
第６の実施の形態では、ＰｉｎＰ表示の画面サイズを受信感度によって変えるので、ＰｉｎＰに加えてさらに画面サイズでも視覚的に受信感度を表示することができる。
【００３６】
次に、本発明の第７の実施の形態について説明する。図１４は、第７の実施の形態を説明するフローチャートである。始めに視聴者が前述したタイムシフト機能を利用している状態であるとする。このときリアルタイム映像の番組が番組終了時間を超えているか否かを判断し（Ｓ９０１）、越えている場合はタイムシフト再生のまま終了する。
【００３７】
ここで番組終了時間について説明する。地上デジタルテレビジョン放送では、番組配列情報が多重化されて放送される。その番組配列情報の一つにＥＩＴ（Ｅｖｅｎｔ  Ｉｎｆｏｒｍａｔｉｏｎ  Ｔａｂｌｅ）がある。ＥＩＴは番組の名称、放送日時、内容の説明など番組に関する情報を指示するテーブルであり、そのなかにｓｔａｒｔ＿ｔｉｍｅとｄｕｒａｔｉｏｎというフィールドがある。ｓｔａｒｔ＿ｔｉｍｅは対象イベントの番組開始時刻が記述され、ｄｕｒａｔｉｏｎは対象イベントの番組長が記載されている（ＡＲＩＢ  ＳＴＤ−Ｂ１０）。つまり番組終了時間はｓｔａｒｔ＿ｔｉｍｅにｄｕｒａｔｉｏｎを足した時間である。
【００３８】
Ｓ９０１において、リアルタイム映像の番組が番組終了時間を越えなければ、チューナ監視部１１１は定期的にチューナ１０２の受信感度を取得する。もし取得した受信感度が閾値Ｎ以下の場合、制御部１１２に通知する（Ｓ９０２）。
【００３９】
制御部１１２はチューナ１０２の出力であるＭＰＥＧ−２  ＴＳデータ、即ち、リアルタイム受信データをＤＥＭＵＸ１０３に入力させる。また、制御部１１２は、セクション解析部１０４、映像復号部１０５、表示部１０７に対して、タイムシフト再生の映像に、リアルタイム受信データの映像をＰｉｎＰ表示するように通知する。そして、ＤＥＭＵＸ１０３は、セクション解析部１０４、映像復号部１０５および音声復号部１０６にリアルタイム受信データを分割したパケットを入力し、セクション解析部１０４および映像復号部１０５は表示部１０７に映像を出力し、音声復号部１０６はスピーカ１０８に音声を出力することでＰｉｎＰ表示を行う（Ｓ９０３）。
【００４０】
ＰｉｎＰ表示中もチューナ監視部１１１は定期的にチューナ１０２の受信感度を取得する。もし取得した受信感度が閾値Ｎより大きい場合またはリアルタイム映像の番組が番組終了時間を超えた場合は、制御部１１２に通知する（Ｓ９０４）。制御部１１２は、チューナ１０２からＤＥＭＵＸ１０３へのＭＰＥＧ−２  ＴＳデータの入力を停止させ、セクション解析部１０４、映像復号部１０５、表示部１０７に対して、ＰｉｎＰ表示を中止するように通知する（Ｓ９０５）。
【００４１】
第７の実施の形態では、タイムシフト再生中にリアルタイム映像の番組が終了した場合は、受信環境が悪化してもＰｉｎＰ表示をしないので、視聴者にとって不必要な表示を避けることができる。
【００４２】
なお、本発明の実施の形態について第１から第７の実施の形態において個別に説明したが、本発明はそれに限定されることなく、これら１つ以上の実施の形態を適宜組み合わせたものについても適用できることは言うまでもない。また、映像データをＭＰＥＧ−２  ＴＳデータとして記載したが、ＭＰＥＧ４形式やその他の動画ファイルであっても良い。また、ＰｉｎＰ表示する代替映像としては動画に限らず、静止画でも良い。
【図面の簡単な説明】
【００４３】
【図１】本発明の携帯型テレビ端末装置の概略構成を示す機能ブロック図である。
【図２】第１の実施の形態を説明するフローチャートである。
【図３】表示部に表示する映像の例である。
【図４】第２の実施の形態を説明するフローチャートである。
【図５】第３の実施の形態を説明するフローチャートである。
【図６】表示部に表示する映像の例である。
【図７】第４の実施の形態を説明するフローチャートである。
【図８】再生するデータを示す図である。
【図９】第５の実施の形態を説明するフローチャートである。
【図１０】表示部に表示する映像の例である。
【図１１】表示部に表示する映像の例である。
【図１２】第６の実施の形態を説明するフローチャートである。
【図１３】表示部に表示する映像の例である。
【図１４】第７の実施の形態を説明するフローチャートである。
【符号の説明】
【００４４】
１００  携帯型テレビ端末装置
１０１  アンテナ
１０２  デジタル放送用チューナ
１０３  ＤＥＭＵＸ
１０４  セクション解析部
１０５  映像復号部
１０６  音声復号部
１０７  表示部
１０８  スピーカ
１０９  記憶装置
１１０  タイムシフト部
１１１  チューナ監視部
１１２  制御部
【図１】
2008136103.tif 000003
【図２】
2008136103.tif 000004
【図３】
2008136103.tif 000005
【図４】
2008136103.tif 000006
【図５】
2008136103.tif 000007
【図６】
2008136103.tif 000008
【図７】
2008136103.tif 000009
【図８】
2008136103.tif 000010
【図９】
2008136103.tif 000011
【図１０】
2008136103.tif 000012
【図１１】
2008136103.tif 000013
【図１２】
2008136103.tif 000014
【図１３】
2008136103.tif 000015
【図１４】
2008136103.tif 000016